(57)【要約】  意匠性を悪化させずに前面パネルに結露が生じない空気調和機の室内機を提供する。本発明に係る空気調和機の室内機は、背面側が室内の壁に設置される筐体と、筐体に設けられた吸込口と、筐体の下面に開口された吹出口と、吸込口から吹出口に至る空気流路に配置された熱交換器及び送風機と、吹出口に配置され、回動可能に支持され、停止時には吹出口を覆い、運転時には回動し角度が調整されることにより吹出口から吹き出される気流の上下方向の向きを制御する上下風向板と、吹出口の長手方向に沿って配置される補助風向板と、吹出口の内部において、筐体の前面側に配置され、補助風向板が筐体の前後方向に回動する回転軸と、を備える。補助風向板は、運転停止時には、吹出口の内部であって、上下風向板よりも上方に位置し、回転軸に固定されている端と反対側の端である先端部が、回転軸よりも背面側に位置し、運転時には、筐体の背面側から前面側に向けて回動し、先端部が吹出口から筐体の外部に突出するようにされる。
2017094116.tif 000002
【特許請求の範囲】
【請求項１】
背面側が室内の壁に取り付けられる筐体と、
前記筐体に設けられた吸込口と、
前記筐体の下面に開口された吹出口と、
前記吸込口から前記吹出口に至る空気流路に配置された熱交換器及び送風機と、
前記吹出口に配置され、回動可能に支持され、停止時には前記吹出口を覆い、運転時には回動し角度が調整されることにより前記吹出口から吹き出される気流の上下方向の向きを制御する上下風向板と、
前記吹出口の長手方向に沿って配置される補助風向板と、
前記吹出口の内部において、前記筐体の前面側に配置され、前記補助風向板が回動する回転軸と、を備え、
前記補助風向板は、
運転停止時には、前記吹出口の内部に位置し、前記回転軸に固定されている一端と反対側に位置する先端部が、前記回転軸よりも背面側に位置し、
運転時には、前記筐体の背面側から前面側に向けて回動し、前記先端部が前記吹出口から前記筐体の外部に突出するようにされた、空気調和機の室内機。
【請求項２】
前記補助風向板は、
運転停止時には前記先端部が前記回転軸より上方に位置され、運転時には前記回転軸を中心に９０°以上回動され、前記先端部が前記吹出口から前記筐体の外部に突出される、請求項１に記載の空気調和機の室内機。
【請求項３】
前記回転軸は、
前記吹出口の前面側の壁である前面壁との間に隙間を持って設置され、
前記補助風向板は、
冷房運転時に前記前面壁との間に隙間を持って位置する、請求項１又は２に記載の空気調和機の室内機。
【請求項４】
前記補助風向板は、
暖房運転時に前記前面壁と接触して位置する、請求項３に記載の空気調和機の室内機。
【請求項５】
前記吹出口の前面側の壁である前面壁は、
前記補助風向板が収まる凹み形状を備え、
前記先端部は、
前記前面壁から風路に突出しない、請求項１〜４の何れか１項に記載の空気調和機の室内機。
【請求項６】
前記補助風向板は、
内部が中空構造である、請求項１〜５の何れか１項に記載の空気調和機の室内機。
【請求項７】
前記補助風向板は、
内部に断熱材を備える、請求項１〜６の何れか１項に記載の空気調和機の室内機。
【請求項８】
前記筐体は、直方体である、請求項１〜７の何れか１項に記載の空気調和機の室内機。
【発明の詳細な説明】
【技術分野】
【０００１】
本発明は、空気調和機の室内機に関し、特に吹出口の上下風向板及び補助風向板の配置に関する。
【背景技術】
【０００２】
従来の空気調和機の室内機は、吸込口から吹出口に至る空気流路に配置された送風ファンと、送風ファンの周囲に配置された熱交換器とを備えている。吹出口を目立たなくすることにより美観の向上を図るため、吹出口が室内機の筐体の下面のみに開いているものが知られている。【０００３】
例えば、特許文献１に開示されている空気調和機の室内機によれば、筐体の下部に吹出口を備えている。吹出口は、筐体の底面よりも上に位置しており、吹出口の周縁部から前後方向に下方向に向かって広がる傾斜面を備えている。吹出口には、上下風向板が備えられており、運転停止時には吹出口を上下風向板で覆うように構成されている。これにより、運転停止時には吹出口と風向板が使用者から視認されない構造になっている。また、運転時には、上下風向板が下方向へ開くことにより、吹出口が開き、前方向又は下方向に送風される。【０００４】
また、特許文献２に開示されている空気調和機によれば、筐体の下部に前面側を向いた斜めの面を備え、吹出口が設けられている。吹出口には、背面側に比較的大きい上下風向板である水平フラップと、前面側に比較的小さい上下風向板であるディフューザとが設けられている。運転時は、ディフューザと水平フラップにより前方向又は下方向に送風される。運転停止時には、ディフューザは吹出口内の前面側の壁に沿うように収納され、吹出口を水平フラップで覆うように構成されている。運転停止時には吹出口と風向板が使用者から視認されない構造になっている。
【先行技術文献】
【特許文献】
【０００５】
【特許文献１】特開２０１５−０６８５６６号公報
【特許文献２】特開２０１０−１２１８７７号公報
【発明の概要】
【発明が解決しようとする課題】
【０００６】
しかし、特許文献１に開示されているところでは、空気調和機の室内機の冷房運転時に、送風ファンから吹き出される冷気の一部は吹出口の上側の壁を沿うように流れ、吹出口近傍にある前面パネルの一部が、冷気によって直接冷却される。また、冷気によって冷やされた吹出口の上側の壁と隣接して設置されている前面パネルが、熱伝導により冷却される。そのため、吹出口近傍にある前面パネルの一部分の周囲の空気が冷やされ、露点温度以下となり、前面パネルに露が付いてしまう。冷房運転が継続されることで、前面パネルに付いた露の量は増加し続け、最終的に露が筐体から落下し、室内機周囲にある家具、床、及び壁等を汚損してしまうという課題がある。【０００７】
また、吹出口の上側の壁の先端部に冷気が接触することを防ぐために、吹出口の上側の壁に、吹出口の長手方向に沿って動作しない突起を突出させることも考えられる。しかし、その場合には、運転中や停止時に上下風向板と突起が干渉してしまったり、運転停止時も突起が露出してしまうことで、意匠性を悪化させたりしてしまう。【０００８】
また、特許文献２に開示されているところでは、吹出口の前面側にディフューザがあり、ディフューザを吹出口から突出させれば空気調和機の意匠面である前面パネルに冷却風が当たりにくくすることができ、前面パネルの結露を防止できる構成になっている。しかし、ディフューザが前面側から背面側に向けて回動する構成になっているため、前面パネルに流れる冷却風を抑えるためには、ディフューザを大きくする必要がある。そして、ディフューザを大きくするためにはその収納スペースが必要となる。一方、収納スペースを小さくするためにディフューザーを小さくすると、前面側の意匠面に冷却風が流れやすくなるため、前面パネルと吹出口とを上下方向に離して設置する必要があり、筐体の高さを高くしなければならない。さらには、冷却風が前面パネルに当たらないようにするために、吹出口の前側にある面は、上方に向かって斜めの面、つまり前側を向いた斜面にして、吹出口から出る冷却風と離すように構成される必要がある。これにより、空気調和機の前面パネルの形状、底面パネルの形状、及び吹出口の位置が制限されてしまい、外観デザインを自由にとることができないという課題がある。結果として、空気調和機の前面側から見た時に吹出口が視認しやすい位置にあり、運転時において内部構造が視認されやすく、意匠として見栄えが良くないという課題がある。【０００９】
本発明は、上記のような課題を解決するためになされたもので、外観デザインの自由度を確保し、筐体前面部に露が付くことを防ぐ空気調和機の室内機を提供するものである。
【課題を解決するための手段】
【００１０】
本発明に係る空気調和機の室内機は、背面側が室内の壁に取り付けられる筐体と、前記筐体に設けられた吸込口と、前記筐体の下面に開口された吹出口と、前記吸込口から前記吹出口に至る空気流路に配置された熱交換器及び送風機と、前記吹出口に配置され、回動可能に支持され、停止時には前記吹出口を覆い、運転時には回動し角度が調整されることにより前記吹出口から吹き出される気流の上下方向の向きを制御する上下風向板と、前記吹出口の長手方向に沿って配置される補助風向板と、前記吹出口の内部において、前記筐体の前面側に配置され、前記補助風向板が回動する回転軸と、を備え、前記補助風向板は、運転停止時には、前記吹出口の内部に位置し、前記回転軸に固定されている一端と反対側に位置する先端部が、前記回転軸よりも背面側に位置し、運転時には、前記筐体の背面側から前面側に向けて回動し、前記先端部が前記吹出口から前記筐体の外部に突出するようにされる。
【発明の効果】
【００１１】
本発明によれば、空気調和機の冷房運転時に、補助風向板が吹出口の前側に配置され、かつ補助風向板の先端部が吹出口から筐体外に突出されているため、送風ファンから吹き出される冷気が補助風向板に沿って流れる。これにより、冷却風が補助風向板に遮られ、筐体の前面の前面パネルの下端に直接当たりにくくなり、前面パネルが冷やされることが無くなる。また、吹出口内部の補助風向板よりも前面側の部分も冷却されにくくなるため、熱伝導により前面パネルが冷やされることが無くなる。そのため、前面パネルに結露が生じないという効果が得られる。また、運転停止時は補助風向板が筐体内部に収納されるため、運転停止時において室内機の意匠性が悪化しないという効果が得られる。
【図面の簡単な説明】
【００１２】
【図１】本発明の実施の形態１における空気調和機の冷媒回路を示した概略図である。
【図２】本発明の実施の形態１における空気調和機の室内機の斜視図である。
【図３】図２の室内機の長手方向に垂直な断面を表した説明図である。
【図４】図２の室内機の運転停止状態における長手方向に垂直な断面を表した説明図である。
【図５】図３の室内機に対し補助風向板が無い比較例の吹出口近傍の断面を表した説明図である。
【図６】図３の室内機の吹出口近傍の断面を表す説明図である。
【図７】本発明の実施の形態１における暖房時の室内機の長手方向に垂直な断面を表した説明図である。
【図８】下吹き運転時の室内機の長手方向に垂直な断面を表した説明図である。
【図９】本発明の実施の形態１における補助風向板の断面の構造を表した説明図である。
【図１０】本発明の実施の形態２における室内機の補助風向板の周辺の拡大図である。
【図１１】本発明の実施の形態３における室内機の吹出口の周辺の長手方向に垂直な断面を表した説明図である。
【図１２】図１１の運転停止状態から運転状態へ変化した状態を表す図である。
【発明を実施するための形態】
【００１３】
以下、図面に基づいて本発明の実施の形態について説明する。各図において、同一の符号を付した機器等については、同一の又はこれに相当する機器を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１４】
実施の形態１.
＜空気調和機１の冷媒回路１３の構成＞
図１は、本発明の実施の形態１における空気調和機１の冷媒回路を示した概略図である。図１に示されるように、空気調和機１は、室内機２と室外機３とがガス側連絡配管１１及び液側連絡配管１２により互いに接続されており、これにより冷媒回路１３が構成されている。室内機２は、室内熱交換器４を内部に備えており、室内熱交換器４に室内機２の外部につながる冷媒配管が接続されている。室外機３は、内部に四方切換弁９と、圧縮機８と、室外熱交換器６と、膨張弁１０とが備えられており、冷媒配管により接続されている。以上のように、冷媒回路１３は、室内熱交換器４、四方切換弁９、圧縮機８、室外熱交換器６、膨張弁１０が冷媒配管により接続され、冷凍サイクルを構成している。また、室内熱交換器４の近傍には、室内送風機５が配置されており、室外熱交換器６の近傍には、室外送風機７が設置されている。
【００１５】
＜室外機３の構成＞
室外機３の内部において、膨張弁１０と室外熱交換器６と四方切換弁９とは冷媒配管により直列に接続されている。四方切換弁９は、室外熱交換器６、圧縮機８の吸入口及び吐出口、ガス側連絡配管１１に続く冷媒配管に接続されている。四方切換弁９は、吐出口及び吸入口の接続先を切り替えることにより、暖房運転と冷房運転を切り替えることができる。図１において実線で示される四方切換弁９の経路の場合は、ガス側連絡配管１１につながる冷媒配管と圧縮機８の吸入口とが接続され、圧縮機８の吐出口と室外熱交換器６とが接続される。この時、空気調和機１は冷房運転を行う。一方、図１において破線で示される四方切換弁９の経路の場合は、室外熱交換器６と圧縮機８の吸入口とが接続され、圧縮機の吐出口とガス側連絡配管１１につながる冷媒配管とが接続される。この時、空気調和機１は暖房運転を行う。
【００１６】
＜室内機２の構成＞
図２は、本発明の実施の形態１における空気調和機１の室内機２の斜視図である。図３は、図２の室内機２の長手方向に垂直な断面を表した説明図である。なお、図３は、室内機２が運転状態における説明図である。図２において、天井面Ｔは、室内機２が設置された室内の天井面である。壁面Ｋは、室内機２が設置されている壁面である。室内機２において、壁面Ｋ側にある面を室内機２の背面とする。室内機２において、背面と反対側の面を前面と呼ぶ。室内機２の天井面Ｔ側にある面を天面とし、天面の反対側の面を下面とし、図２の右側の側面を右側面とし、右側面の反対側の面を左側面とする。また、室内機２の内部部品についても同様の説明をする。
【００１７】
図２に示されるように、室内機２は、横長の直方体状に形成された筐体２０を有する。筐体２０は、前面を前面パネル２３、左右側面を側面パネル２４、背面を背面パネル２５で覆われている。前面パネル２３は、壁面Ｋと平行に構成されており、吸込口２１となっている凹部が形成されている他は、天面から下面にわたって平らな１つの平面となっている。また、前面パネル２３の下端２３ａは、筐体２０の下面の前面側の端部を構成している。下面は背面パネル２５と、下面パネル２６と、上下風向板２７で覆われる。天面は天面パネル２８で覆われており、天面パネル２８は格子状の開口部を備え、これが吸込口２１となる。下面パネル２６は、室内の床面に平行になっている。なお、室内機２の筐体２０は、横長の直方体状に限定されず、空気を吸い込むための吸込口２１と、空気を吹き出すための吹出口２２がそれぞれ一箇所以上設けられている箱状であれば、図２の形状のみに限定されない。ただし、下面パネル２６は、床に平行となるように設けられており、吹出口２２は下面パネル側に開口している。
【００１８】
図２に示された実施の形態１の室内機２のように、室内機２を横長の直方体状とし、かつ吹出口２２を筐体２０の下面のみに設け、吹出口を前面パネル側に寄せて配置した場合は、運転停止時の室内機２を前面から見た時に吹出口２２が見えず、意匠性を向上させることができる。さらに、運転時、空気を吹出す角度を下向きに向け易くなり、空気を床面まで到達させることができる。
【００１９】
図３に示されるように、筐体２０の内部には、図示されていないモータの駆動によって空気の流れを生じさせる室内送風機５が収納されている。室内送風機５の天面側及び前面側の周囲は室内熱交換器４が配置されている。室内送風機５の下側には吹出口２２につながる風路４０が形成されている。吹出口２２の前面壁２２ｂには、風路４０の吹出口２２に至る手前に、左右の風向を調整するために左右風向板３０が設置されている。吹出口２２には上下の風向を調整するための上下風向板２７及び補助風向板３１がそれぞれ設けられている。室内機２内の空気の流れは図３中に示されている矢印Ａのようになっている。上下風向板２７及び補助風向板３１が設けられていることにより、運転時、空気を吹き出す角度を下向きに向けられるだけでなく、前側にも向けることができる。
【００２０】
＜風路４０及び吹出口２２＞
図４は、図２の室内機２の運転停止状態における長手方向に垂直な断面を表した説明図である。風路４０は、背面側にある背面壁２２ａと前面側にある前面壁２２ｂとを備える。背面壁２２ａは、室内送風機５の背面側から下方向に向けて延び、室内送風機５の下側へ回り込むように形成され、吹出口２２に至る。つまり、背面壁２２ａは、室内送風機５の背面側から前面方向に向かって斜面を形成し、背面壁２２ａの終端２２ａｂが、下面パネル２６の内部側に接して位置している。
【００２１】
一方、吹出口２２の前面壁２２ｂは、その起点２２ｂａが室内送風機５の直下の前面寄りに位置しており、そこから前面側へ向けて斜め下方向に延び吹出口２２に至る。前面壁２２ｂの終端２２ｂｂ、つまり、吹出口２２側の端部は、室内機２の前面パネル２３の下端２３ａのすぐ裏側に位置する。
【００２２】
＜上下風向板２７＞
上下風向板２７は、回転軸３２ａに取り付けられており、回転軸３２ａを中心に回動可能に支持されている。回転軸３２ａは、吹出口２２の背面側に位置し、吹出口２２の背面壁２２ａの近傍に配置されており、背面壁２２ａの終端２２ａｂから隙間２９をもって配置されている。運転時においては上下風向板２７が開き、隙間２９からも冷却風が吹き出すことにより、上下風向板２７の外側の面に沿って冷却風が流れるように構成されている。上下風向板２７は、吹出口２２の長手方向に沿って延びる板状部分２７ａとその板状の部分から凸している支持部材３２を備えている。支持部材３２は、回転軸３２ａに取り付けられている。上下風向板２７は、支持部材３２を介して板状部分２７ａを上下方向に動かし、吹出口２２から吹出される空気の風向を上下方向に変更する。図３に示されるように、上下風向板２７は、運転時には回転軸３３を中心に下側に回転し、吹出口２２を開けるとともに、回転する角度が調整され、吹き出される風の上下方向を調整する。
【００２３】
図２及び図４に示されている室内機２は運転停止状態であり、上下風向板２７は、吹出口２２を覆うように構成されている。上下風向板を板状部分２７ａの先端部は、室内機２の運転停止状態においては、吹出口２２の開口部の前面側の端、つまり前面壁２２ｂの終端２２ｂｂに届くように構成されている。上下風向板２７の板状部分２７ａは、吹出口２２を閉じて、内部が視認できないように構成されている。
【００２４】
この上下風向板２７は、図示されていない駆動モータが駆動されることによって、回転軸３３を中心に上側構造当たり（全閉状態）から下側構造当たり（全開状態）までの範囲を回動できるようになっている。
【００２５】
＜補助風向板３１＞
吹出口２２の前面側であり上下風向板２７に対し上方に、前面壁２２ｂが位置している。前面壁２２ｂの空気流路側の面に補助風向板を回転させる回転軸３３が配置されている。回転軸３３は、前面壁２２ｂと隙間を持って配置されている。また、回転軸３３は、吹出口２２の開口部に対し筐体内部側に入った位置であり、上下風向板２７が吹出口２２を覆った時にはその上方に位置する。補助風向板３１は、回転軸３３の回りを筐体２０の前後方向に回動可能に支持され、回転軸３３の回りに９０°以上回動することができる。また、補助風向板３１は、吹出口２２の長手方向、つまり室内機２の左右方向に沿って伸びており、吹出口２２の前面側の部分で吹出される空気の上下方向の風向を変更する。
【００２６】
図３に示されているように、空気調和機１の運転時において、補助風向板３１は、回転軸３３と反対側の端、すなわち回転軸３３により支持されていない側の先端部３６が、回転軸３３より下方に位置し、補助風向板３１の一部は、吹出口２２から筐体２０の外部に突出するように配置されている。つまり、補助風向板３１の先端部３６が前面パネル２３の下端よりも下側に出た状態で空気調和機１は運転される。この時、回転軸３３と前面壁２２ｂとの間にある隙間にも空気が流れるように構成されている。
【００２７】
また、図４に示されているように、空気調和機１の運転停止時においては、補助風向板３１は、吹出口２２の内部に収納される。上下風向板２７により吹出口２２が閉じた状態において、回転軸３３及び補助風向板３１は、上下風向板２７よりも筐体内部側、つまり上下風向板２７の上方に位置することになる。その時、補助風向板３１の先端部３６は、回転軸３３よりも上方に位置し、回転軸３３よりも筐体２０の背面側に位置するようになっている。上下風向板２７が吹出口２２を覆っている場合において、補助風向板３１の先端部３６が回転軸３３よりも背面側に位置するように構成されている。補助風向板３１の収納状態において、先端部３６が回動して回転軸３３の背面側に位置する構成になっているため、吹出口２２の内部における回転軸３３の前後方向の位置は、前面パネル２３側に寄せて配置することができる。すなわち、回転軸３３が前面パネル２３の下端２３ａにより近い位置に配置できる。また、回転軸３３の上下方向の位置は、吹出口２２の内部において、閉じている上下風向板２７と干渉しない範囲でなるべく下側に配置される。このように補助風向板３１の回転軸３３を、吹出口２２の内部において前後方向は前側、上下方向は下側に寄せて配置する構成により、空気調和機の運転時において、補助風向板３１の吹出口２２からの突出量を大きく取ることができ、補助風向板３１を前面パネル２３の下端２３ａに近づけて配置することができる。補助風向板３１を大きくすることによっても吹出口２２からの補助風向板３１の突出量は大きく取ることができるが、補助風向板３１の回転軸３３の配置を上記の様に吹出口２２の内部において前側及び下側に寄せて配置することにより、補助風向板３１をコンパクトに構成することができる。
【００２８】
＜実施の形態１の室内機２の空気の流れ＞
以下に、図３に基づき室内機２内の空気の流れを説明する。図３の矢印Ａは、室内機２内の空気の流れを示す。室内機２の天面および前面に配置されている吸込口２１から吸いこまれた空気は、室内熱交換器４を通過する際に室内熱交換器４の内部を流れる冷媒と熱交換される。室内熱交換器４を通過する空気は、空気調和機１が冷房運転であれば、冷やされ、暖房運転であれば、温められる。室内熱交換器４を通過し冷媒と熱交換された調和空気は、室内送風機５に至る。室内送風機５の内部、もしくは室内送風機５と背面パネル２５との隙間を通過した空気は、風路４０を通過し、左右風向板３０により左右方向の調整がされる。左右風向板３０を通過した空気は、吹出口２２に設置された上下風向板２７及び補助風向板３１に沿って、吹出口２２から室内機２の前方又は下方に向かって吹き出される。
【００２９】
＜補助風向板３１が無い場合の室内機２の空気の流れ＞
図５は、図３の室内機２に対し補助風向板３１が無い比較例の吹出口２２近傍の断面を表した説明図である。吹出口２２に補助風向板３１が無い場合、冷房運転時に吹出口２２の前面壁２２ｂを沿って吹き出された冷気は、図５の矢印で示されるよう吹出口２２の前面壁２２ｂに沿って流れ、冷気が吹出口２２の出口付近の前面パネル２３に接触して、前面パネル２３を冷却する。また、吹出口２２から吹き出される空気の流速が遅い場合、吹出口２２から吹き出された冷気の一部は、図５に示されるように、吹出口２２の前面側の端部で渦流となり、前面パネル２３に接触することもある。さらに、直接冷気が前面パネル２３に触れなくても、吹出口２２の前面壁２２ｂの出口近傍が冷気によって冷却されると、熱伝導によって吹出口２２の前面壁２２ｂに接している前面パネル２３が冷却される。前面パネル２３の吹出口２２近傍は、冷気によって直接冷やされたり、熱伝導によって冷やされたりし、周囲の空気が冷やされて露点温度以下となり、結露してしまう。そして、空気調和機１が冷房運転を続けることにより、最終的に前面パネル２３に付いた露は筐体２０から落下し、室内機２の周囲にある家具や床、壁を汚損してしまうという課題がある。
【００３０】
＜補助風向板３１がある場合の室内機２の空気の流れ＞
図６は、図３の室内機２の吹出口２２近傍の断面を表す説明図である。図６は、冷房時の吹出口２２の状態を表している。吹出口２２の前面側に補助風向板３１がある場合、冷房運転時に吹出口２２の前面壁２２ｂを沿って吹き出された冷気は、図６の矢印で示されるように補助風向板３１に沿って流れてから吹出口２２から吹き出す。吹出口２２の前面壁２２ｂを沿って流れ、吹出口２２の前面側の端部から吹き出される空気は、補助風向板３１によって下向きに流れるため、吹き出される冷気が前面パネル２３への接触を抑えることができる。よって、吹き出される空気により前面パネル２３は冷却されることはない。
【００３１】
補助風向板３１は、空気調和機１の運転時には図６に示されるように、筐体２０よりも外に突出されているため、吹き出される空気の流速が遅い場合又は前述した吹出口２２の出口近傍に冷気の渦流が発生した場合においても、冷気の前面パネル２３への接触は抑えられる。また、吹出口２２の前面壁２２ｂの終端２２ｂｂも、補助風向板３１が設置されていることによって、矢印Ａで示される冷気が積極的に吹出口２２の前面壁２２ｂの終端２２ｂｂを冷却することがないため、熱伝導によって前面パネル２３を冷却されることがない。以上のように、補助風向板３１を図５のように設けることで、前面パネル２３は冷気の影響で冷やされることがなくなるので、前面パネル２３は周囲の空気と同程度の温度になり、前面パネル２３に露が付かない。なお、補助風向板３１は、可能な限り前面パネル２３の下端２３ａに近い位置にあり、吹出口２２からの突出量が大きい方が、下端２３ａに冷気が当たりにくくしやすく、有利である。
【００３２】
ただし、回転軸３３は、前面壁２２ｂから隙間を持って設置されており、図６中の矢印Ｂで示されるように、補助風向板３１の前面側にも微小に冷気が流れるように構成されている。このように構成することにより、吹出口から突出した補助風向板３１の前面側と背面側との空気の温度差は小さくなるため、補助風向板３１自体の結露を防止することができる。この時、前面パネル２３への冷気の接触は微小であるため、前面パネル２３は結露することがない。
【００３３】
＜冷房時の補助風向板３１の動作＞
図４に示されるように、空気調和機１の運転停止時においては、補助風向板３１は、回転軸３３の周りに回動して、先端部３６が回転軸３３よりも上に位置するように収納される。補助風向板３１は、収納状態において上下風向板２７の上に位置し、外部からは視認できないように構成されている。これにより、補助風向板３１は見えなくなり、停止時の意匠性を向上させることができる。また、収納時には補助風向板３１の先端部３６は、回転軸３３よりも上に位置して収納されることにより、上下風向板２７が閉じた状態においても干渉が発生しないようになっている。さらには、補助風向板３１の先端部３６が回転軸３３よりも上に位置して収納できることにより、回転軸３３を吹出口２２の外側寄りに近づけて配置できるため、補助風向板３１の回転軸３３から先端部までの長さを小さくしつつ、補助風向板３１の吹出口２２からの突出量を大きく確保することができるという利点がある。
【００３４】
空気調和機１が冷房運転を開始すると、図３及び図６に示される様に、補助風向板３１は、先端部が背面側から前面側へ向けて回動し、先端部３６が吹出口２２から突出する。図３の矢印Ａで表される冷気が前面パネル２３に当たるのを抑制するために、補助風向板３１の先端部３６は、前面パネル２３の下端２３ａよりも下に突出させる。そのときの、前面パネルの下端２３ａから補助風向板３１の先端部３６までの上下方向の突出量Ｃは５ｍｍ以上必要であり、望ましくは１０ｍｍあると良い。また、補助風向板３１の回転軸３３が吹出口２２の内部において、前面パネル２３寄りに配置されていることにより、補助風向板３１が突出した状態で前面パネル２３の下端２３ａに近づけて配置される。これにより、補助風向板３１が小さく構成された場合であっても、図６で矢印Ａで示される吹出風が下端２３ａに当たるのを抑制するのに有利になる。
【００３５】
＜暖房時の補助風向板３１の動作＞
図７は、本発明の実施の形態１における暖房時の室内機２の長手方向に垂直な断面を表した説明図である。暖房運転時においても、補助風向板３１は、図４に示されている収納状態から、回転軸３３の周りを回動し、先端部３６を背面側から前面側に回動させ、吹出口２２から突出される。ただし、図４に示されるように、補助風向板３１の前面側の面を前面壁２２ｂの終端２２ｂｂと離して停止させるのではなく、図７に示されるように、前面壁２２ｂの終端２２ｂｂと接した状態まで回動させる。このようにすることで、補助風向板３１の前面側に分流する小さい風量の風路を閉塞することができる。これにより、暖房時には吹出風の圧力損失を抑え、風量の低下を防止することができる。なお、暖房運転時には、吹出風により吹出口２２の周辺にある部材が冷却されることは無いため、結露については考慮する必要がない。
【００３６】
図８は、下吹き運転時の室内機２の長手方向に垂直な断面を表した説明図である。なお、冷房運転時、暖房運転時の両方において、吹出風を下吹きにする時は図８に示すように、水平方向から見て、上下風向板２７は６５〜９０度、補助風向板３１は８５〜９０度下向きに向けることで、ほぼ真下に空気を吹き出すことができ、従来の空気調和機と比較して風向範囲を広げることができる。
【００３７】
＜補助風向板３１の構造＞
図９は、本発明の実施の形態１における補助風向板３１の断面の構造を表した説明図である。この補助風向板３１は図９に示すように、前面部３１ａと背面部３１ｂの２つの部品から構成し、前面部３１ａと背面部３１ｂの間は空洞を設けてもよい。空洞を設けることで補助風向板３１の背面部３１ｂが冷気によって冷やされても、熱伝導によって前面部３１ａが冷やされ難くなり、前面部３１ａに付着する結露量を防ぐことができる。さらに断熱効果を高めるために、前面部３１ａと背面部３１ｂの間にある空洞に断熱材３５を追加してもよい。
【００３８】
実施の形態２．
実施の形態２は、実施の形態１に対し、補助風向板３１を収納及び突出させる際の動きを変更したものである。以下、実施の形態２について、実施の形態１からの変更点を中心に説明する。実施の形態２で特に記述しない項目については実施の形態１と同様とし、同一の機能や構成については同一の符号を用いて述べることとする。
【００３９】
図１０は、本発明の実施の形態２における室内機２の補助風向板３１の周辺の拡大図である。補助風向板３１は回転軸３３を中心に回動する機構を取らずに構成することもできる。図１０に示されるように、補助風向板３１が吹出口２２の内部の左右壁面に設けられたガイド溝３４に沿って上下に動く構成でもよく、補助風向板３１は、図１０の矢印の方向に直動し、前面壁２２ｂ内に納められる構成であってもよい。このように補助風向板３１を上下に移動させることによって、上下の風向角度によって、補助風向板３１を吹出口２２からに突出させる量を調整することができる。冷房運転時、かつ上下風向板２７の角度が水平方向から見て小さいほど（水平位置から下方向の角度で４５°以下の時）、吹出口２２から吹き出される冷気は、前面パネル２３に接触し易くなる。しかし、その場合、補助風向板３１の筐体２０からの突出量を大きくすることで、吹出口２２の前面側における冷気の流れを下向きにすることができ、前面パネル２３に露が付くことを防ぐことができる。逆に、冷房運転時、かつ上下風向板２７の角度が水平方向から見て大きいほど（水平位置から下方向の角度で４５°以上の時）、吹出口２２から吹き出される冷気の流れは下向きになり、補助風向板３１の筐体２０からの突出量を小さくしても前面パネル２３に露は付かない。このように、補助風向板３１の吹出口２２からの突出量を小さくすれば、吹出口２２の開口面積を大きくすることができ、吹き出される空気の圧力損失が小さくなって、空気調和機１の性能を向上させることができる。また、暖房運転時や送風運転時は、室内機２から冷気が吹き出されないため、補助風向板３１を吹出口２２から外に突出させる必要はなく、吹出口２２の開口面積を大きくでき、吹出される空気の圧力損失が小さくなって、空気調和機１の性能を向上させることができる。
【００４０】
実施の形態３．
実施の形態３は、実施の形態１に対し、補助風向板３１の収納状態を変更したものである。以下、実施の形態３について、実施の形態１からの変更点を中心に説明する。実施の形態３で特に記述しない項目については実施の形態１と同様とし、同一の機能や構成については同一の符号を用いて述べることとする。
【００４１】
図１１は、本発明の実施の形態３における室内機２の吹出口２２の周辺の長手方向に垂直な断面を表した説明図である。図１１は、空気調和機１が運転停止した状態であり、吹出口２２は、上下風向板２７により覆われている。この状態の時、補助風向板３１は、吹出口２２の前面壁１２２ｂに形成された凹部に納められている。補助風向板３１の先端部は、前面壁１２２ｂの凹部から突出しないように納められている。このように構成することにより、運転停止状態において、内部にスペースが確保でき、例えば、左右風向板等の配置の自由度を得られるという効果がある。
【００４２】
図１２は、図１１の運転停止状態から運転状態へ変化した状態を表す図である。図１２は、特に暖房運転の状態である。この時、補助風向板３１は、前面壁１２２ｂの凹部に納められたままの状態である。暖房運転時には、前面パネル２３等が結露することは無いため、補助風向板３１は納めたままでも良い。補助風向板３１の先端部を風路に突出させることなく前面壁２２ｂに納めていることにより、風路内の温風の圧力損失を抑えることができる。また、実施の形態１のように補助風向板３１を吹出口２２から突出させた状態よりも、吹出口２２の開口を広く取ることができるため、図１２中に示した矢印Ａのように吹き出される温風の圧力損失を抑えることができ、空気調和機１は効率のよい運転ができる。
【００４３】
また、実施の形態３においても、冷房運転時には、補助風向板３１は、実施の形態１と同様な働きをするため、実施の形態１と同様な効果が得られる。
【００４４】
＜本発明の効果＞
本発明の実施の形態１〜３に係る空気調和機１の室内機２は、背面側が室内の壁に取り付けられる筐体２０と、筐体２０に設けられた吸込口２１と、筐体２０の下面に開口された吹出口２２と、吸込口２１から吹出口２２に至る空気流路に配置された室内熱交換器４及び室内送風機５と、吹出口２２に配置され、回動可能に支持され、停止時には吹出口２２を覆い、運転時には回動し角度が調整されることにより吹出口２２から吹き出される気流の上下方向の向きを制御する上下風向板２７と、吹出口２２の長手方向に沿って配置される補助風向板３１と、吹出口２２の内部において、筐体２０の前面側に配置され、補助風向板３１が筐体２０の前後方向に回動する回転軸３３と、を備える。補助風向板３１は、運転停止時には、吹出口２２の内部に位置し、回転軸３３に固定されている一端と反対側に位置する先端部３６が、回転軸３３よりも背面側に位置し、運転時には、筐体２０の背面側から前面側に向けて回動し、先端部３６が吹出口２２から筐体２０の外部に突出される。
このように構成されることにより、空気調和機１の室内機２は、冷房運転時において、冷却風が補助風向板３１に遮られ、筐体２０の前面パネル２３の下端２３ａに直接当たりにくくなり、前面パネル２３が冷やされることが無くなる。また、吹出口内部の補助風向板３１よりも前面側の部分も冷却されにくくなるため、熱伝導により前面パネル２３が冷やされることが無くなる。そのため、前面パネル２３に結露が生じないという効果が得られる。また、空気調和機１の運転停止時は補助風向板３１が筐体２０内部に収納されるため、運転停止時において室内機２の意匠性を悪化させないという効果が得られる。また、補助風向板３１の先端部３６が、補助風向板３１の回転軸３３に対し背面側に位置することにより、回転軸３３を前面パネル側に寄せて配置することができるため、補助風向板３１が小さくても冷却風が前面パネル側に流れにくくする効果が得られる。ひいては、実施の形態１及び２に係る室内機２のように、下面に開口された吹出口２２と前面パネル２３とが隣接して配置させることが可能となり、室内機２の筐体２０の外観デザインの自由度も得られるという効果がある。
【００４５】
本発明の実施の形態１及び３に係る空気調和機１の室内機２においては、さらに、補助風向板３１は、運転停止時には先端部３６が回転軸３３より上方に位置され、運転時には回転軸３３を中心に９０°以上回動され、先端部が吹出口２２から筐体２０の外部に突出される。
このように構成されることにより、補助風向板３１は、上下風向板２７が吹出口２２を覆った時においても、上下風向板２７と干渉することなく収納することができ、効率よく配置することができる。
【００４６】
本発明の実施の形態１及び３に係る空気調和機１の室内機２においては、回転軸３３は、吹出口２２の前面側の壁である前面壁２２ｂとの間に隙間を持って設置され、補助風向板３１は、冷房運転時に前面壁２２ｂとの間に隙間を持って位置する。
このように構成されることにより、冷房運転時において、補助風向板３１と前面壁２２ｂの終端２２ｂｂとの間に微小な冷却風が流れる風路が形成される。これにより、冷房運転時の補助風向板３１の前面側と背面側との温度差が小さくなり、補助風向板３１の表面の結露の発生を抑えることができる。
【００４７】
本発明の実施の形態１及び３に係る空気調和機１の室内機２においては、補助風向板３１は、暖房運転時に前面壁２２ｂと接触して位置する。
このように構成されることにより、冷房運転時には補助風向板３１及び前面パネル２３の結露の発生を抑制しつつ、暖房運転時には補助風向板３１と前面壁２２ｂの終端２２ｂｂとの間の風路を閉塞し、吹出口２２に流れる風を分流させず、吹出風の圧力損失を抑え風量を確保することができる。
【００４８】
本発明の実施の形態１〜３に係る空気調和機１の室内機２においては、前面壁２２ｂは、補助風向板３１が収まる凹み形状を備え、補助風向板３１の先端部３６は、前面壁２２ｂから風路に突出しない。
このように構成されることにより、空気調和機１の運転停止時の吹出口２２内のスペースを確保することができ、効率よく各部材を配置できる。また、暖房運転時においては、補助風向板３１をその凹み形状に納めたまま運転することにより、吹出口２２の開口を大きく取ることができるため、補助風向板３１を突出させて運転する場合と比較して、吹出風の圧力損失を抑え風量の減少を抑えることができる。
【００４９】
本発明の実施の形態１〜３に係る空気調和機１の室内機２においては、補助風向板３１は、内部が中空構造である。
このように構成されることにより、空洞を設けることで補助風向板３１の背面部３１ｂが冷気によって冷やされても、熱伝導によって前面部３１ａが冷やされ難くなり、前面部３１ａに付着する結露を防ぐことができる。
【００５０】
本発明の実施の形態１〜３に係る空気調和機１の室内機２においては、補助風向板３１は、内部に断熱材３５を備える。このように構成されることにより、上記の空洞を設けた場合よりさらに断熱効果を高めることができ、補助風向板３１に付着する結露を防ぐことができる。
【００５１】
本発明の実施の形態１〜３に係る空気調和機１の室内機２においては、筐体２０は、直方体である。このように構成されることにより、前面パネル２３に生じる結露の発生を防ぐ効果を得ながら、デザイン性の高い筐体２０を得ることができる。
【符号の説明】
【００５２】
１  空気調和機、２  室内機、３  室外機、４  室内熱交換器、５  室内送風機、６  室外熱交換器、７  室外送風機、８  圧縮機、９  四方切換弁、１０  膨張弁、１１  ガス側連絡配管、１２  液側連絡配管、１３  冷媒回路、２０  筐体、２１  吸込口、２２  吹出口、２２ａ  背面壁、２２ａｂ  終端、２２ｂ  前面壁、２２ｂａ  起点、２２ｂｂ  終端、２３  前面パネル、２３ａ  下端、２４  側面パネル、２５  背面パネル、２６  下面パネル、２７  上下風向板、２８  天面パネル、３０  左右風向板、３１  補助風向板、３１ａ  前面部、３１ｂ  背面部、３２  支持部材、３２ａ  回転軸、３３  回転軸、３４  ガイド溝、３５  断熱材、３６  （補助風向板の）先端部、４０  風路、１２２ｂ  前面壁。
【図１】
2017094116.tif 000003
【図２】
2017094116.tif 000004
【図３】
2017094116.tif 000005
【図４】
2017094116.tif 000006
【図５】
2017094116.tif 000007
【図６】
2017094116.tif 000008
【図７】
2017094116.tif 000009
【図８】
2017094116.tif 000010
【図９】
2017094116.tif 000011
【図１０】
2017094116.tif 000012
【図１１】
2017094116.tif 000013
【図１２】
2017094116.tif 000014
【国際調査報告】
2017094116.tif 000015
2017094116.tif 000016
2017094116.tif 000017
2017094116.tif 000018